(57)【特許請求の範囲】
【請求項１】
映像信号と音声信号とを伝送するための光ケーブルであって、
複数の光繊維であり、各光繊維は、コアと、前記コアの外側に配置されるクラッドと、前記クラッドの外側に配置されるコーティング層とを含む、複数の光繊維と、
内部に前記複数の光繊維が配置されている被覆であり、前記複数の光繊維は、前記被覆内で不規則に配置される、被覆と、
前記被覆と前記複数の光繊維との間の空間を埋める衝振材と、
を含み、
前記クラッドの屈折率は、前記コアの屈折率より低く、
前記コーティング層の屈折率は、前記クラッドの屈折率より低く、かつ、
前記光繊維、前記被覆、および、前記衝振材は、透明である、
光ケーブル。
【請求項２】
前記衝振材内に挿入される引張線を更に含むことを特徴とする請求項１に記載の光ケーブル。
【請求項３】
前記引張線は、光が透過されることを特徴とする請求項２に記載の光ケーブル。
【請求項４】
光ケーブルアセンブリであって、
第１光電変換部及び第２光電変換部と、
前記第１光電変換部及び第２光電変換部を相互接続する光ケーブルと、
を含み、
前記光ケーブルは、
複数の光繊維であり、各光繊維は、コアと、前記コアの外側に配置されるクラッドと、前記クラッドの外側に配置されるコーティング層とを含む、複数の光繊維と、
内部に前記複数の光繊維が配置されている被覆であり、前記複数の光繊維は、前記被覆内で不規則に配置される、被覆と、
前記被覆と前記複数の光繊維との間の空間を埋める、衝振材と、
を含み、
前記クラッドの屈折率は、前記コアの屈折率より低く、
前記コーティング層の屈折率は、前記クラッドの屈折率より低く、かつ、
前記光繊維、前記被覆、および、前記衝振材は、透明である、
光ケーブルアセンブリ。
【請求項５】
前記第１光電変換部及び第２光電変換部は、それぞれ、
回路ボードと、
前記回路ボードを覆うシールドキャン（ｓｈｉｅｌｄ  ｃａｎ）と、
内部に前記シールドキャンが配置されるハウジングと
を含むことを特徴とする請求項４に記載の光ケーブルアセンブリ。
【請求項６】
前記ハウジングは、光が透過されることを特徴とする請求項５に記載の光ケーブルアセンブリ。
【請求項７】
前記シールドキャンは、前記ハウジングの一端から外部に突出するプラグが伸長形成されたことを特徴とする請求項５に記載の光ケーブルアセンブリ。
【請求項８】
前記ハウジングは、他端に前記ハウジングの内部に向かって次第に幅が狭くなるラッパ状のガイド部が形成されることを特徴とする請求項５に記載の光ケーブルアセンブリ。
【請求項９】
前記ラッパ状のガイド部の内周面が曲面を成すことを特徴とする請求項８に記載の光ケーブルアセンブリ。
【請求項１０】
前記回路ボードには、
前記光ケーブルと前記回路ボードとを接続するレンズシステムと、
光を放出したり光を吸収する光素子システムと、
光信号を用いて動作される光駆動直接回路とが実装されることを特徴とする請求項５に記載の光ケーブルアセンブリ。
【請求項１１】
前記第１光電変換部及び前記第２光電変換部に挿入された前記光ケーブルの両端から前記複数の光繊維がそれぞれ分岐されることを特徴とする請求項１０に記載の光ケーブルアセンブリ。
【請求項１２】
前記第１光電変換部及び第２光電変換部は、それぞれ、
前記シールドキャン内に配置され、前記回路ボードを支持する第１支持部と、
前記シールドキャンの外部に配置され、前記光ケーブルを前記シールドキャンの内部にガイドする第２支持部と
を更に含むことを特徴とする請求項１０に記載の光ケーブルアセンブリ。
【請求項１３】
前記第１支持部は、左側支持片及び右側支持片を含み、
前記シールドキャン内の前記左側支持片及び右側支持片は、相互対向する面が前記光ケーブルが前記レンズシステムに挿入される方向に進むにつれて次第に離れることを特徴とする請求項１２に記載の光ケーブルアセンブリ。
【発明の詳細な説明】
【技術分野】
【０００１】
本発明は、光ケーブルに関し、より詳細には、肉眼で確認が困難な（ｉｎｖｉｓｉｂｌｅ）光ケーブル及びそれを含む光ケーブルアセンブリに関する。
【背景技術】
【０００２】
近来、インターネット通信市場では、従来のメガ（Ｍｅｇａ）レベルからギガ（Ｇｉｇａ）レベルへと、パラダイムが移行しつつある。このようなインターネット通信市場の変化に合わせて、インターネット線路には既存の銅ケーブルの代わりに光ケーブルが使用されている。
【０００３】
通常、通信用光ケーブルは、光ケーブルモードに応じてシングルモード（Ｓｉｎｇｌｅ−Ｍｏｄｅ）とマルチモード（Ｍｕｌｔｉ−Ｍｏｄｅ）とに区分されてよい。シングルモードは、光ケーブル内に導波される光のモードが一つとして、長い距離まで伝送が可能である。マルチモードは、光ケーブル内に導波される光のモードが複数として、短距離伝送が容易になる。
【０００４】
大量の情報を素早く伝達するために、マルチモードの光ケーブルが使われているが、通常、マルチモードの光ケーブルは、複数の光繊維を実装した内部被覆を外部被覆内に実装する二重被覆構造を有している。それにより、光ケーブルの嵩が実装される光繊維の数に比べて非常に大きくなる問題があり、光ケーブルが二重被覆構造を有することにより、光ケーブルの製作工程が複雑になり、製作コストがかさむという問題がある。
【０００５】
なお、従来の光ケーブルのうち、ビルディングや事務所内に設置する屋外用光ケーブルは、肉眼で容易に確認できるため、周辺の環境に馴染むことができなかったり、美的効果を低下させるという問題があった。
【発明の概要】
【発明が解決しようとする課題】
【０００６】
そこで、本発明は、上記問題に鑑みてなされたものであり、本発明の目的とするところは、構造が簡単で、外径が最小化され、肉眼で確認が困難になるように形成される光ケーブル及びそれを含む光ケーブルアセンブリを提供することにある。
【課題を解決するための手段】
【０００７】
上記のような目的を達成するために、コアと、前記コアの外側に配置されるクラッドと、前記クラッドの外側に配置されるコーティング層とを含む光繊維と、内部に前記光繊維が複数で配置され、光が透過される被覆と、前記被覆と前記複数の光繊維の間の空間を埋めて光が透過される衝振材とを含む光ケーブルを提供する。
【０００８】
前記衝振材内に挿入される引張線を更に含んでよい。
【０００９】
前記引張線は、光が透過されるように形成されてよい。
【００１０】
本発明は、第１光電変換部及び第２光電変換部と、前記第１光電変換部及び第２光電変換部を相互接続する光ケーブルとを含み、前記光ケーブルは、コアと、前記コアの外側に配置されるクラッドと、前記クラッドの外側に配置されるコーティング層を含む光繊維と、内部に前記光繊維が複数で配置され、光が透過される被覆と、前記被覆と前記複数の光繊維の間の空間を埋めて光が透過される衝振材とを含む光ケーブルアセンブリを提供する。
【００１１】
前記第１光電変換部及び第２光電変換部は、それぞれ、回路ボードと、前記回路ボードを覆うシールドキャン（ｓｈｉｅｌｄ  ｃａｎ）と、内部に前記シールドキャンが配置されるハウジングとを含む。
【００１２】
前記ハウジングは、光が透過されるように形成されてよい。
【００１３】
前記シールドキャンは、前記ハウジングの一端から外部に突出するプラグが伸長形成されてよい。
【００１４】
前記ハウジングは、他端に前記ハウジングの内部に向かって次第に幅が狭くなるラッパ状のガイド部が形成されてよい。
【００１５】
前記ガイド部の内周面が曲面を成してよい。
【００１６】
前記回路ボードには、前記光ケーブルと前記回路ボードとを接続するレンズシステムと、光を放出したり光を吸収する光素子システムと、光信号を用いて動作される光駆動直接回路とが実装されてよい。
【００１７】
前記第１光電変換部及び前記第２光電変換部に挿入された前記光ケーブルの両端から前記複数の光繊維がそれぞれ分岐されてよい。
【００１８】
前記複数の光繊維のそれぞれは、前記レンズシステムの各レンズに固定されてよい。
【００１９】
前記レンズシステムは、前記光ケーブルと前記光素子システムとの間に配置されてよい。
【００２０】
前記第１光電変換部及び第２光電変換部は、それぞれ、前記シールドキャン内に配置され、前記回路ボードを支持する第１支持部と、前記シールドキャンの外部に配置され、前記光ケーブルを前記シールドキャンの内部にガイドする第２支持部とを更に含んでよい。
【００２１】
前記第１支持部は、左側支持片及び右側支持片を含み、前記シールドキャン内の前記左側支持片及び右側支持片は、相互対向する面が前記光ケーブルが前記レンズシステムに挿入される方向に進むにつれて次第に離れるように形成されてよい。
【００２２】
前記第２支持部は、透明な材質で形成されてよい。
【００２３】
前記ハウジングは、前記光駆動直接回路から発生する熱を放出するためのベントホール（ｖｅｎｔ  ｈｏｌｅ）が形成されてよい。
【００２４】
前記ハウジングは、外側面に滑り止め突起が形成されてよい。
【図面の簡単な説明】
【００２５】
【図１】本発明の一実施形態に係る光ケーブルを示す断面図である。
【図２】本発明の一実施形態に係る光ケーブルの内部を示す斜視図である。
【図３】クラッドを覆う透明なコーティング層を更に含む例を示す図である。
【図４】本発明の一実施形態に係る光ケーブルアセンブリの構造を概略に示す図である。
【図５】図４に示す第１光電変換部の内部を示す図である。
【図６】図５に示す光ケーブルアセンブリのハウジングを示す斜視図である。
【発明を実施するための形態】
【００２６】
以下、添付の図を参照し、本発明に係る光ケーブル及びそれを含む光ケーブルアセンブリの実施形態について詳細に説明する。
【００２７】
以下で説明される実施形態は、発明の理解を促すために例示的に示すものであって、本発明は、ここで説明される実施形態と異なるように多様に変形されて実施され得ることを理解されるべきである。ただ、以下で本発明を実施するうえで、関連の公知機能或いは構成要素に対する具体的な説明が本発明の要旨を不要に曖昧にする可能性があると判断される場合は、その詳細な説明及び具体的な図示を省略する。なお、添付の図面は、発明の理解を促すために、実際寸法の通りに示されたものではなく、一部の構成要素の寸法が誇張されて図示されてよい。
【００２８】
以下、本発明の一実施形態として、光ケーブル１について説明した後、光ケーブル１を含む光ケーブルアセンブリ１０について詳細に説明する。
【００２９】
図１は、本発明の一実施形態に係る光ケーブルを示す断面図であり、図２は、本発明の一実施形態に係る光ケーブルの内部を示す斜視図である。
【００３０】
本発明の一実施形態に係る光ケーブル１は、ユーザが肉眼で識別しにくくするために、光が透過されるように形成されてよい。この場合、光ケーブル１は、その直径を最小化することで、より識別が困難になるように形成されてよい。
【００３１】
図１及び図２を参照すると、光ケーブル１は、透明な複数の光繊維１０と、複数の光繊維１０が内部に配置され、光が透過される被覆２０と、被覆２０と複数の光繊維１０の間の空間を埋め、光が透過される透明な衝振材３０を含んで構成される。
【００３２】
ここで、光が透過される被覆２０と衝振材３０とを透明であるとすることができる。透明な被覆２０及び透明な衝振材３０は、光の一部のみが透過されるように形成されてよく、特定波長の光のみに対して透過されるように形成されてよい。
【００３３】
光繊維１０は、光信号の伝送媒体になるものとして、透明なコア１１及び透明なクラッド１３で構成されてよい。
【００３４】
コア１１は、光信号の伝送のためのものとして、光繊維１０の中心に位置し、相対的に高い屈折率を有する。光信号がコア１１の内部で長手方向に沿って全反射とする。
【００３５】
クラッド１３は、光信号をコア１１内に閉じ込めるためのものとして、コア１１の外側に配置され、相対的に低い屈折率を有する。クラッド１３は、コア１１の外周に沿ってコア１１を完全に囲い込むように配置される。
【００３６】
光繊維１０のそれぞれは、その横断面（長手方向に垂直の断面）が概ね円形（楕円、凹凸のある円形を含む）の外郭を有する。コア１１は、円形棒状を有し、クラッド１３は円形チューブ状を有し、コア１１及びクラッド１３は同芯構造で配置される。
【００３７】
被覆２０は、光ケーブル１の最外郭に位置し、その内部に配置された複数の光繊維１０を外部の環境から保護し、圧出工程を通じて単一材質で一体形成されてよい。被覆２０は、高い引用強度及び高い硬度を有することが望ましい。
【００３８】
被覆２０は、透明に形成される。即ち、被覆２０は、被覆２０に入射する光が被覆２０を透過するように形成される。この場合、被覆２０の内部に配置された複数の光繊維１０及び衝振材３０も光が透過されるように形成される。それにより、光ケーブル１に入射される光が透過される。
【００３９】
ユーザは、それにより、ユーザは見る視覚に応じて、被覆２０を透過する光を認識するようになり、光ケーブル１を、光ケーブル１の配置された床面または周辺で認識することができる。よって、光ケーブル１そのものは、肉眼で認識しにくい。
【００４０】
被覆２０は、光が透過される材質で形成されてよい。具体的に、被覆２０は、ポリ塩化ビニル（Ｐｏｌｙｖｉｎｙｌ  ｃｈｌｏｒｉｄｅ：ＰＶＣ）で形成されてよい。
【００４１】
被覆２０は、チューブ状に形成されてよく、複数の光繊維１０を円形で覆い、所定の保護膜を形成する。外部の被覆２０が円形構造を有するため、外部から圧力を受ける面積を最小化し、複数の光繊維１０を円形で覆うため、光繊維１０が受ける外部圧力を半減させる。
【００４２】
光ケーブル１は、単一の被覆２０の内部に複数の光繊維１０が一定の程度で動かすことができるように配置される。本発明の一実施形態に係る光ケーブルは、複数の光繊維１０の心線を収容する別途のチューブ、スロットまたはリボンを含まないため、複数の光繊維１０は別途の部材によって収容されずに、直接的に単一の外部の被覆２０に収容される。よって、光繊維１０は、特定の固定された方向性を有しないように相互に対して緩く配置される。それにより、複数の光繊維１０は、図１のように、一定の配列を有することなく、不規則的に被覆２０内に配置される。
【００４３】
このような構造を有する本発明の一実施形態に係る光ケーブル１は、従来の光ケーブルによるルーズチューブやリボン光繊維バンドルを用いた多芯光ケーブルに比べて、同じ外径で心線数を増やすことができるという長所があった。なお、同じ数の光繊維が内蔵された従来の多芯光ケーブルに比べて、本発明の一実施形態に係る光ケーブル１の場合、外径がより小さく形成されるという利点がある。
【００４４】
よって、本発明の一実施形態に係る光ケーブル１は、一つの外部の被覆２０に複数の光繊維１０を配置できるため、光ケーブル１の厚さを最小化し、製作コストを削減することができる。
【００４５】
衝振材３０は、複数の光繊維１０を外部からの衝撃から保護し、被覆２０内に浸透した水分を吸収するものである。なお、衝振材３０は、光ケーブル１の強度を増加させる媒介体である。
【００４６】
衝振材３０は、被覆２０内の空いた空間に各光繊維１０を覆うように配置される。衝振材３０は、複数で構成されてよく、被覆２０と複数の光繊維１０との間の空間を埋める。衝振材３０は、防水特性を有するようにするために、アラミド繊維、ガラス繊維などのような紡績糸（ｙａｒｎ）形態であってよい。衝振材３０は、光が透過される材質で形成される。衝振材３０及びそれを覆う被覆２０が透明に形成されてよい。この場合、光ケーブル１そのものが、透明になり、光ケーブル１の視認性（ｖｉｓｉｂｉｌｉｔｙ）を低下させることができる。
【００４７】
衝振材３０は、被覆２０が伸びることを防止する抗張力を提供する。
【００４８】
光ケーブル１を構成する複数の光繊維１０と、被覆２０と、衝振材３０とは、いずれもが透明な材質で形成されてよい。具体的に、光繊維１０を構成するコア１１及びクラッド１３も透明な材質で形成される。
【００４９】
複数の光繊維１０、衝振材３０及び被覆２０のいずれもが、透明な材質で形成される際、光ケーブル１の最外郭に配置された被覆２０の光透過率は被覆２０の内部に配置された複数の光繊維１０及び衝振材３０の光透過率より大きく形成されてよい。衝振材３０及び被覆２０の光透過率を高く形成するほど、光ケーブル１の視認性はより低下する。
【００５０】
室内または建物の外壁、廊下などに透明な材質で形成された光ケーブル１を設置する場合、透明な光ケーブル１は、光ケーブル１が配線された周辺の光を透過させることができる。それにより、ユーザの目につきにくく、屋内及び屋外のインテリア効果を低下させないという利点がある。
【００５１】
上述のように、本発明に係る光ケーブル１は、複数の光繊維１０を一つの被覆２０が覆うように形成され、被覆２０は光が透過されるように形成されることにより、多芯光ケーブル１の外径を最小化し、透明に形成され、ユーザの目に付きにくいインビジブル（ｉｎｖｉｓｉｂｌｅ）光ケーブルを提供することができる。
【００５２】
更に、本発明の一実施形態に係る光ケーブル１は、ユーザが肉眼で識別しにくいように外光を反射するように形成されてよい。具体的な例として、光ケーブル１は、複数の光繊維１０と、内部に光繊維１０が複数で配置され、外光を反射する被覆２０と、被覆２０と複数の光繊維１０との間の空間を埋める衝振材３０を含んで構成されてよい。
【００５３】
被覆２０は、無色（Ｃｏｌｏｒｌｅｓｓ）であり、所定の反射率を有する材質からなってよい。ここで、「無色」の意味は、透明なものと不透明なものを全て含むことを意味する。被覆２０は、所定の反射率を有するように形成され、被覆２０に入射される光を反射する。それにより、被覆２０の内部に配置された複数の光繊維１０と衝振材３０が外部から肉眼で認識しにくくなる。
【００５４】
具体的に、被覆２０は、光ケーブル１が配置された床面または周辺から反射されて被覆２０に入射される光を、再び被覆２０が反射させる。被覆２０が、外光を反射するように形成されることにより、光ケーブル１はユーザの目に付きにくくなる。ユーザは、見る視覚に応じて光ケーブル１の被覆２０が反射する光を認識するようになるため、光ケーブル１そのものは肉眼で認識しにくい。
【００５５】
この場合、衝振材３０は、透明か、不透明に形成されてよい。なお、衝振材３０は、有色で形成されてよく、具体的に、色の紡績糸状であってよい。衝振材３０が不透明な材質である際、被覆２０のみが外光を反射するように形成されてよい。
【００５６】
被覆２０が外光を反射するため、被覆２０の内部が外部から認識しにくくなるだけでなく、被覆２０で覆われた光ケーブル１そのものがユーザの目に付きにくくなる効果を得ることができる。
【００５７】
室内または建物の外壁、廊下などに外光を反射する材質で形成された光ケーブル１を設置する場合、光ケーブル１は被覆２０に入射される光を反射させることができる。それにより、ユーザの目に付きにくく、屋内及び屋外のインテリア効果を低下させないという利点がある。
【００５８】
上述のように、本発明に係る光ケーブル１は、複数の光繊維１０を一つの被覆２０が覆われるように形成され、被覆２０が外光を反射するように形成されることにより、多芯光ケーブル１の外径を最小化し、外光を反射するように形成され、ユーザの目に付きにくいインビジブル光ケーブルを提供することができる。
【００５９】
図３は、クラッドを覆う透明なコーティング層を更に含む例を示す図である。図３を参照すると、光ケーブル１ｂは、複数の光繊維１０をそれぞれ覆うコーティング層１５を更に含んでよく、衝振材３０ないに挿入される引張線４０を更に含んでよい。
【００６０】
この場合、光繊維１０は、それぞれコア１１、クラッド１３及びコーティング層１５で構成されてよい。コア１１は、第１光屈折率を有し、クラッド１３は、コア１１の屈折率より低い光屈折率を有してよい。コーティング層１５は、クラッド１３を覆う透明な樹脂層として、クラッド１３と異なる屈折率を有するように形成される。具体的に、コーティング層１５は、クラッド１３の屈折率より低い光屈折率を有してよい。
【００６１】
コーティング層１５が剛体の役割を担うことができ、衝振材３０とともに光ケーブル１の抗張力を向上させることができる。コーティング層１５の材質としては、ポリ塩化ビニル（ｐｏｌｙｖｉｎｙｌ  ｃｈｌｏｒｉｄｅ）、ポリエステルエラストマー（ｐｏｌｙｅｓｔｅｒ  ｅｌａｓｔｏｍｅｒ（Ｈｙｔｒｅｌ））、ポリエステル（ｐｏｌｙｅｓｔｅｒ）、ポリエチレン（ｐｏｌｙｅｔｈｙｌｅｎｅ）、ナイロン（ｎｙｌｏｎ）などの高分子化合物が使われてよい。
【００６２】
引張線４０は、抗張力を提供するために、光ケーブル１の中心に位置することができる。引張線４０の材質としては、ガラス繊維強化プラスチック（ｆｉｂｅｒｇｌａｓｓ  ｒｅｉｎｆｏｒｃｅｄ  ｐｌａｓｔｉｃ：ＦＲＰ）を使用することができ、光ケーブル１ｂの残りの構成と同様に、透明に形成されてよい。
【００６３】
引張線４０は、光ケーブル１ｂの引張力及び圧縮強度を向上させ、外部の被覆２０の脱皮（即ち、剥がすこと、除去ないし分離）を促すことができる。即ち、作業者は、前記光ケーブル１ｂの外部の被覆２０を一部脱皮した後、引張線４０を引っ張ることで、外部の被覆２０を光ケーブル１ｂの長手方向に向けて脱皮することができる。
【００６４】
本発明の一実施形態に係る光ケーブル１ｂは、複数の光繊維１０が外部の被覆２０内で緩く配置されているため、引張線４０またはコーティング層１５を更に含むとしても、同一の強度を有する従来の光ケーブルより本発明の光ケーブル１がよりスリームに形成される。
【００６５】
図４は、本発明の一実施形態に係る光ケーブルアセンブリの構造を概略に示す図であり、図５は、図４に示す第１光電変換部の内部を示す図である。
【００６６】
本発明に係る光ケーブルアセンブリ１００は、第１光電変換部１１０と、第２光電変換部１５０及び光ケーブル１を含んで構成される。
【００６７】
光ケーブル１は、第１光電変換部及び第２光電変換部を相互接続する。そのために、光ケーブル１の両端には、それぞれ第１光電変換部１１０と第２光電変換部１５０が組み合わせられる。
【００６８】
光ケーブルは、上記で説明した光が透過される光ケーブル１または外光を反射する光ケーブル１からなってよい。光ケーブルは、光が透過される被覆２０を含む光ケーブル１または外光を反射する被覆２０を含む光ケーブル１であってよい。なお、光ケーブルは、図３の光ケーブル１ｂのように、引張線４０を更に含んでよい。
【００６９】
以下において、光ケーブルアセンブリ１００は、光が透過される光ケーブル１を備えたものとして説明するが、それに限定されるものではなく、光ケーブルアセンブリ１００は、光を反射する光ケーブル１を備えることもできる。
【００７０】
本発明の一実施形態に係る光ケーブルアセンブリ１００は、双方向光送信及び受信装置に該当する。説明の便宜のために、第１光電変換部１１０は、外部装置（図示せず）の送信部と接続され、第２光電変換部１５０は、別の外部装置（図示せず）の受信部と接続されたものとして説明する。
【００７１】
図４及び図５を参照すると、第１光電変換部１１０は、光ケーブル１と回路ボード１２０とを接続するレンズシステム１２６と、光を放出するか光を吸収する光素子システム１２５と、光信号を用いて動作する光駆動直接回路１２３が実装された回路ボード１２０とを備える。
【００７２】
レンズシステム１２６は、複数のジャンパ１２７及び複数のレンズ１２８で構成される。複数のジャンパ１２７は、複数の光繊維１０とそれぞれ接続されて光繊維１０を回路ボード１６０に接続する役割を担う。複数のレンズ１２８は、複数のジャンパ１２７に対応するように配置され、回路ボード１２０から光ケーブル１に光信号を伝達する。
【００７３】
光素子システム１２５は、電子信号を受けてレーザを発生させる複数のＶＣＳＥＬ（Ｖｅｒｔｉｃａｌ  ｃａｖｉｔｙ  ｓｕｒｆａｃｅ  ｅｍｉｔｔｉｎｇ  ｌａｓｅｒ）チップ１２５ａと、ＶＣＳＥＬチップ１２５ａから発生した光信号を受けて電気信号を出力する複数のＰＤ（Ｐｈｏｔｏ  Ｄｉｏｄｅ）チップ１２５ｂで構成される。
【００７４】
第２光電変換部１５０は、第１光電変換部１１０と同様に、光ケーブル１と回路ボード１６０とを接続するレンズシステム１６６、光を放出するか光を吸収する光素子システム１６５、及び光信号を用いて動作される光駆動直接回路１６３が実装された回路ボード１６０を備える。
【００７５】
レンズシステム１６６は、複数のジャンパ１６７及び複数のレンズ１６８で構成される。複数のジャンパ１６７は、複数の光繊維１０とそれぞれ接続され、光繊維１０を回路ボード１６０に接続する役割を担う。複数のレンズ１６８は、複数のジャンパ１６７に対応するように配置され、光ケーブル１から回路ボード１６０に光信号を伝達される役割に担う。
【００７６】
光素子システム１６５は、電気信号を受けてレーザを発生させる複数のＶＣＳＥＬ（Ｖｅｒｔｉｃａｌ  ｃａｖｉｔｙ  ｓｕｒｆａｃｅ  ｅｍｉｔｔｉｎｇ  ｌａｓｅｒ）チップ１６５ａと、ＶＣＳＥＬチップ１６５ａから発生した光信号を受けて電気信号を出力する複数のＰＤ（Ｐｈｏｔｏ  Ｄｉｏｄｅ）チップ１６５ｂで構成される。
【００７７】
図４を参照し、光ケーブルアセンブリ１００の動作を見ると、次の通りである。
【００７８】
第１光電変換部１１０と接続された送信部の電気信号（即ち、映像データ）は、第１光電変換部１１０の回路ボード１２０上に配置された光駆動直接回路１２３の制御を通し、光素子システム１２５のＶＣＳＥＬチップ１２５ａから光信号に変換され、変換された光信号はレンズシステム１２６のレンズ１２８に反射れ、ＶＣＳＥＬチップ１２５ａから上方に垂直出射され、ジャンパ１２７を介して複数の光繊維１０のそれぞれに伝送される。
【００７９】
第１光電変換部１１０から伝送された光信号は、光ケーブル１を介して第２光電変換部１５０に伝送される。第１光電変換部１１０と第２光電変換部１５０とを接続する光ケーブル１は、複数の光繊維１０を含む。具体的に、複数の光繊維１０は、８本で構成されてよい。そのうち、４本の光繊維１０ａは、ビデオ信号を伝達するためのものである。ビデオ信号を伝達するための光繊維１０ａは、映像信号と音声信号とを伝送し、１本の光繊維１０ａが１２．５Ｇに該当する量の情報を伝送することができる。残りの４本の光繊維１０ｂ、１０ｃのうち、２本の光繊維１０ｂはデータ信号を伝送し、２本の光繊維１０ｃは信号検出器（Ｓｉｇｎａｌ  Ｄｅｔｅｃｔｏｒ）の信号を伝送する。
【００８０】
第２光電変換部１５０は、光ケーブル１から光信号を伝送され、伝送を受けた光信号はジャンパ１６７によってそれぞれのレンズ１６８に伝達され、レンズ１６８を介して光信号が下方に垂直反射され、回路ボード１６０上のＰＤチップ１６５ｂに入射される。
【００８１】
入射された光信号は、回路ボード上のＴＩＡ（Ｔｒａｎｓｉｍｐｅｄａｎｃｅ  Ａｍｆｌｉｆｉｅｒ）（図示せず）の制御を通じ、ＰＤチップ１６５ｂの出力電流を増幅し、電気信号に変換する。変換された電気信号は、第２光電変換部１５０と接続された受信部（即ち、ディスプレイ部）に入力される。
【００８２】
第１光電変換部１１０及び第２光電変換部１５０の内部構成の配置を信号伝達方向に応じて説明する。
【００８３】
第１光電変換部１１０は、光駆動直接回路１２３、光素子システム１２５、及びレンズシステム１２６が送信部から電気信号を伝達されるプラグ１２１から光信号を伝達する光ケーブル１に向かう方向に沿って順次に配置される。
【００８４】
第２光電変換部１５０は、レンズシステム１６６と、光素子システム１６５、及び光駆動直接回路１６３が光ケーブル１で受信部に向かう方向に沿って順次に配置される。
【００８５】
第１光電変換部１１０は、送信部と接続されるプラグ１２１を備え、第２光電変換部１５０は、受信部と接続されるプラグ１６１を備える。本発明の一実施形態に係る光ケーブルアセンブリ１００は、第１及び第２光電変換部１１０、１５０を備え、最終的に電気信号を出力して電気的な信号を伝達するプラグ１２１、１６１が備えられる。光ケーブル１の光信号をプラグ１２１、１６１を送信部及び受信部に電気信号で伝達することができる。なお、プラグ１２１、１６１を介して外部電源が入ってきて、光駆動直接回路１２３、１６３に電源を供給することができる。
【００８６】
第１光電変換部１１０と第２光電変換部１５０との構成及び構造は、同じである。説明の便宜のために、以下、第１光電変換部１１０についてのみ説明する。
【００８７】
図５を参照すると、第１光電変換部１１０及び第２光電変換部１５０は、それぞれ回路ボード１２０、１６０、回路ボードを覆うシールドキャン１３０及び内部にシールドキャンが配置されるハウジング１４０を含む。
【００８８】
回路ボード１２０には、光ケーブル１と回路ボード１２０とを接続するレンズシステム１２６、光を放出するか光を吸収する光素子システム１２５、及び光信号を用いて動作される光駆動直接回路１２３が実装される。この場合、レンズシステム１２６、光素子システム１２５、光駆動直接回路１２３は、光ケーブル１からプラグ１２までに続く方向に沿って順次に配置される。
【００８９】
複数の光繊維１０は、第１光電変換部１１０及び第２光電変換部１５０に挿入された光ケーブル１の両端からそれぞれ分岐される。それぞれ分岐された光ケーブル１は、第１光電変換部１１０及び第２光電変換部１５０内で被覆２０なしに光繊維１０のみが配置される。
【００９０】
被覆２０で覆われた光繊維１０が光ケーブル１から分岐され、複数の光繊維１０の相互間の干渉を防止するために、一定の距離離隔している状態でレンズシステム１２６に組み合わせられる。
【００９１】
複数の光繊維１のそれぞれは、レンズシステム１２６の各レンズ１２８に接続される。具体的に、複数の光繊維１は、それぞれジャンパ１２７を介して回路ボード１２０に配置された複数のレンズ１２８のそれぞれと接続される。複数のレンズ１２８は、複数の光繊維１０が複数のジャンパ１２７とそれぞれ組み合わせられる部分と反対となる部分に配置される。
【００９２】
光素子システム１２５は、複数の光繊維１０がレンズシステム１２６に組み合わせられる部分と反対となる部分に配置される。即ち、光素子システム１２５は、光ケーブル１を基準にレンズシステム１２６の後端に配置される。
【００９３】
光素子システム１２５のうち、光を放出するＶＣＳＥＬチップ１２５ａは、送信部と接続された第１光電変換部１１０に配置されてよく、前記ＶＣＳＥＬチップ１２５ａから伝送された光を受信するＰＤチップ１６５ｂは、受信部と接続された第２光電変換部１５０に配置されてよい。このとき、第１光電変換部１１０の光素子システム１２５のうちの一部は、受信機から伝送されるデータ信号を伝達され、信号検出器（Ｓｉｇｎａｌ  Ｄｅｔｅｃｔｏｒ）の信号を伝達されるために、ＰＤチップ１２５ｂを含んでよい。同様に、第２光電変換部１５０の光素子システム１２５のうちの一部は、送信器から伝送されるデータ信号を伝送し、信号検出器の信号を伝送するために、ＶＣＳＥＬチップ１２５ａを含んでよい。
【００９４】
本発明の一実施形態に係る光ケーブルアセンブリ１００は、双方向光送受信装置であるため、第１光電変換部１１０及び第２光電変換部１５０の光素子システム１２５は、ＶＣＳＥＬチップ１２５ａとＰＤチップ１２５ｂが同数で含まれてよい。
【００９５】
光駆動直接回路１２３は、光ケーブル１を基準に光素子システム１２５の後端に配置される。光駆動直接回路１２３は、第１光電変換部１１０では電気信号を光信号出力に必要な電流に変換し、第２光電変換部１５０では光信号で出力された電流を電気信号に変換する直接回路である。
【００９６】
シールドキャン１３０の内部に回路ボード１２０と分岐された複数の光繊維１０が配置できる空間を形成する。シールドキャン１３０は、回路ボード１２０または回路ボード１２０上に装着される各種素子によって発生する電磁波障害（ＥＭＩ：ｅｌｅｃｔｒｏ−ｍａｇｎｅｔｉｃ  ｉｎｔｅｒｆｅｒｅｎｃｅ）を防止することができる。
【００９７】
シールドキャン１３０の一端１３０ａには、送信部または受信部と直接的に接続されるプラグ１２１が伸長形成される。プラグ１２１は、電気的信号を送信または受信することができる。
【００９８】
シールドキャン１３０の他端１３０ｂは、光ケーブル１と接続される。光ケーブル１と接続されるシールドキャン１３０の他端１３０ｂを基準に、シールドキャン１３０の内部には回路ボード１２０を支持する第１支持部１３１が配置され、シールドキャン１３０の外部には光ケーブル１をシールドキャン１３０の内部にガイドする第２支持部１３３が配置される。
【００９９】
第１支持部１３１は、回路ボード１２０を固定的に指示するためのものとして、第１支持部１３１の一端は回路ボード１２０と接触され、第１支持部１３１の他端はシールドキャン１３０の他端１３０ｂと接触する。
【０１００】
第１支持部１３１は、左側支持片１３１ｂ及び右側支持片１３１ｂを含む。第１支持部１３１は、光ケーブル１がレンズシステム１２６に挿入される方向に進むにつれてシールドキャン１３０内の左側支持片１３１ｂ及び右側支持片１３１ｂの相互対向する面が次第に離れるように形成される。具体的に、第１支持部１３１の左側支持片１３１ｂは、相互対向する面がシールドキャン１３０の他端１３０ｂから回路ボード１２０までシールドキャン１３０の側面方向に下向傾斜となるように形成される。右側支持片１３１ｂも同様に、シールドキャン１３０の他端１３０ｂから回路ボード１２０までシールドキャン１３０の側面方向に下向傾斜となるように形成される。
【０１０１】
第１支持部１３１は、分岐された光繊維１０と離隔したまま、光繊維１０が分岐された方向に沿って形成される。よって、第１支持部１３１は、分岐された複数の光繊維１０を干渉することなく、回路ボード１２０を支持する。
【０１０２】
第２支持部１３３は、シールドキャン１３０に挿入される光ケーブル１を支持する。第２支持部１３３の一端はシールドキャン１３０と接触し、他端はハウジング１４０の内側面と接触するように形成される。第２支持部１３３には、光ケーブル１がシールドキャン１３０の内部に挿入される第２挿入ホール１３２が形成される。
【０１０３】
第１及び第２支持部１３１、１３３は、別個に形成されるものとして説明したが、それに限らず、一体で形成されてよい。なお、第１及び第２支持部１３１、１３３は、透明な材質で形成されてよい。このとき、ハウジング１４０も併せて透明な材質で形成し、ユーザの肉眼で目に付きにくい光ケーブルアセンブリ１００を提供することができる。
【０１０４】
ハウジング１４０は、内部に空間が形成され、前記シールドキャン１３０を収容することができる。ハウジング１４０の一端は、上述の送信部または受信部と接続され、ハウジング１４０の他端は、光ケーブル１と接続される。ハウジング１４０は、透明か不透明な材質で形成されてよい。
【０１０５】
接続されるハウジング１４０の一端には、シールドキャン１３０から伸長形成されたプラグ１２１がハウジング１４０の外部に突出できるようにプラグホール１４１が形成される。プラグ１２１は、送信部と接続された場合、送信部から電気信号を受信し、受信部と接続された場合、受信部に電気信号を伝送する。
【０１０６】
ハウジング１４０の他端には、光ケーブル１をハウジング１４０の内部にガイドするガイド部１４３が形成され、ガイド部１４３には、第１挿入ホール１４２が形成される。第１挿入ホール１４２を介して光ケーブル１は第１光電変換部１１０の内部に挿入される。
【０１０７】
ガイド部１４３は、ハウジング１４０の内部に向かって次第に幅が狭まるラッパ状に形成される。ガイド部１４３は、内周面１４３ａは曲面をなすように形成される。このように、ガイド部１４３の内周面１４３ａが曲面で形成されることにより、光ケーブル１の流動時に、光ケーブル１がガイド部１４３との摩擦により発生する破損や摩耗を防止することができる。
【０１０８】
図６は、図５に示す光ケーブルアセンブリのハウジングを示す斜視図である。図６を参照すると、ハウジング１４０は、シールドキャン１３０を収容できる空間を含み、ハウジング１４０の一端にはプラグ１２１が外部に突出するようにプラグホール１４１が形成され、他端には光ケーブル１が形成される。
【０１０９】
ハウジング１４０の外側面には、光駆動直接回路から発生する熱を放出するためのベントホール（Ｖｅｎｔ  ｈｏｌｅ）１４５が形成されてよい。図６においては、ベントホール１４５がハウジング１４０の側面に形成されたものとして示しているが、それに限らずに、全面または背面に形成されてよい。なお、ベントホール１４５は、ハウジング１４０だけでなく、シールドキャン１３０にも形成されてよい。
【０１１０】
なお、ハウジング１４０の外側面に滑り止め突起１４７ａを形成することができる。ハウジング１４０の側面に形成された滑り止め突起１４７ａだけでなく、全面または背面に外側面から突出された滑り止め突起１４７ｂを形成することができる。それにより、ユーザの手が滑ることなく、第１または第２光電変換部１１０、１５０を送信部または受信部に接続することができる。
【０１１１】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【図１】
0006959985.tif 000002
【図２】
0006959985.tif 000003
【図３】
0006959985.tif 000004
【図４】
0006959985.tif 000005
【図５】
0006959985.tif 000006
【図６】
0006959985.tif 000007